(57)【要約】【課題】パッチン錠を用いることによるカバー体脱着の簡便さを活かしながら、カバー体の固定をより確実に行えるようにする。【解決手段】ハウジング本体の開口を開閉可能なカバー体４１を備え、カバー体４１の装着位置を排出位置と閉塞位置とに変更可能な固定装置５０が、カバー体４１に備えられたパッチン錠５１と、ハウジング本体４０に設けられた係合部４２と、を備え、パッチン錠５１が、揺動操作される操作部材５３、及び操作部材５３の揺動支点Ｐ２から離れた位置で相対揺動可能に連結されたフック部材５４を備え、揺動支点Ｐ２から離れた位置で操作部材５３をカバー体４１に固定するボルト連結部６０が備えられ、ボルト連結部６０は、操作部材５３の揺動操作範囲のうちで、係合部４２に対するフック部材５４の係合位置と、揺動支点Ｐ２の位置と、を結ぶデッドポイント線ＤＰよりも弛み側の領域に、操作部材５３に対するフック部材５４の連結箇所が位置するように設けられている。【選択図】図５
2020150916.tif 000002
【特許請求の範囲】
【請求項１】
上下向き軸芯まわりで駆動回転自在な複数の回転刈刃と、
その回転刈刃の外周部及び上部を覆う刈刃ハウジングと、が備えられたモアー装置であって、
前記刈刃ハウジングに、左右方向での横一側部に刈草排出用の開口を備えたハウジング本体と、前記開口を開閉可能なカバー体と、が備えられ、
前記ハウジング本体に対する前記カバー体の装着位置を、前記開口を開放して刈草の横外方への排出を許容する排出位置と、前記開口を閉塞して刈草の横外方への排出を抑制する閉塞位置と、に変更可能な固定装置が備えられ、
前記固定装置が、前記カバー体に備えられたパッチン錠と、前記ハウジング本体に設けられた係合部と、を備え、
前記パッチン錠が、揺動操作される操作部材及びその操作部材の揺動支点から離れた位置で前記操作部材に相対揺動可能に連結されたフック部材を備え、前記係合部が前記フック部材を係合可能に構成され、
前記操作部材を前記揺動支点から離れた位置で前記カバー体に固定するボルト連結部が備えられ、
前記ボルト連結部は、前記操作部材の揺動操作範囲のうちで、前記係合部に対する前記フック部材の係合位置と、前記揺動支点の位置と、を結ぶデッドポイント線よりも弛み側の領域に、前記操作部材に対する前記フック部材の連結箇所が位置するように設けられているモアー装置。
【請求項２】
前記カバー体の周方向での一端部に前記パッチン錠が設けられ、
前記カバー体の他端部には、前記フック部材が係合する前記係合部とは別の位置で前記ハウジング本体の外周部に備えられた別の係合部に対して係合する係合片が設けられている請求項１記載のモアー装置。
【請求項３】
前記パッチン錠は、前記カバー体が前記排出位置に装着された状態において、前記カバー体の周方向で前記開口に近い側の端部に装着されている請求項１又は２記載のモアー装置。
【請求項４】
前記ボルト連結部では、前記操作部材に連結ボルトが装着され、前記連結ボルトには、抜け止め座金が装着されている請求項１〜３のいずれか一項記載のモアー装置。
【請求項５】
前記ハウジング本体の天井部で前記開口の上方箇所に、前記ハウジング本体の天井部に沿う枢支軸周りで上下揺動可能に枢支された放出ガイドが備えられ、
前記放出ガイドが、前記ハウジング本体の天井部に沿って横外方へ延出された刈草案内姿勢と、前記ハウジング本体の天井部に交差する上方側へ起立する非案内姿勢とに姿勢切換可能に構成され、
前記カバー体の上部に、前記非案内姿勢の前記放出ガイドを下方側から支える支持ステーが装着されている請求項１〜４のいずれか一項記載のモアー装置。
【発明の詳細な説明】
【技術分野】
【０００１】
本発明は、上下向き軸芯まわりで駆動回転自在な複数の回転刈刃と、その回転刈刃の外周部及び上部を覆う刈刃ハウジングと、が備えられたモアー装置に関する。
【背景技術】
【０００２】
この種のモアー装置としては、刈刃ハウジングの横端部に刈草排出用の開口が設けられ、その開口を開閉可能なカバー体を設けたものが知られている。このカバー体は、開口を閉塞して刈刃ハウジング内での刈り取りを行うマルチング作業位置と、開口を開放して横外方へ刈草を放出するサイドディスチャージ作業位置と、に位置変更可能に構成されている（特許文献１参照）。
【先行技術文献】
【特許文献】
【０００３】
【特許文献１】特開２００８−９２９０９号公報（段落「００１９」、図２、図３参照）
【発明の概要】
【発明が解決しようとする課題】
【０００４】
このように、刈草排出用の開口を開閉可能なカバー体を備えた構造のものでは、マルチング作業を行う状態と、サイドディスチャージ作業を行う状態と、の切り換えを行い得る点で有用である。また、この構造のものでは、パッチン錠を用いてカバー体を刈刃ハウジングのハウジング本体に固定するようにしているので、カバー体の脱着作業が必要なカバー体位置変更作業を迅速に行い易い点でも有用である。
しかしながら、そのような迅速な切り換え操作を行い得る反面、何らかの外力が作用した際におけるパッチン錠での固定構造は、ボルト連結などに比べると固定解除されてしまう可能性がないとは言えず、より確実な固定構造が要望される場合には採用しにくいという点で改善の余地がある。
【０００５】
本発明は、パッチン錠を用いることによるカバー体脱着の簡便さを活かしながら、カバー体の固定をより確実に行えるようにしようとするものである。
【課題を解決するための手段】
【０００６】
本発明におけるモアー装置の特徴は、上下向き軸芯まわりで駆動回転自在な複数の回転刈刃と、その回転刈刃の外周部及び上部を覆う刈刃ハウジングと、が備えられたモアー装置であって、前記刈刃ハウジングに、左右方向での横一側部に刈草排出用の開口を備えたハウジング本体と、前記開口を開閉可能なカバー体と、が備えられ、前記ハウジング本体に対する前記カバー体の装着位置を、前記開口を開放して刈草の横外方への排出を許容する排出位置と、前記開口を閉塞して刈草の横外方への排出を抑制する閉塞位置と、に変更可能な固定装置が備えられ、前記固定装置が、前記カバー体に備えられたパッチン錠と、前記ハウジング本体に設けられた係合部と、を備え、前記パッチン錠が、揺動操作される操作部材及びその操作部材の揺動支点から離れた位置で前記操作部材に相対揺動可能に連結されたフック部材を備え、前記係合部が前記フック部材を係合可能に構成され、前記操作部材を前記揺動支点から離れた位置で前記カバー体に固定するボルト連結部が備えられ、前記ボルト連結部は、前記操作部材の揺動操作範囲のうちで、前記係合部に対する前記フック部材の係合位置と、前記揺動支点の位置と、を結ぶデッドポイント線よりも弛み側の領域に、前記操作部材に対する前記フック部材の連結箇所が位置するように設けられている点である。
【０００７】
本発明によれば、ハウジング本体に対する装着位置を変更可能なカバー体が、パッチン錠を備えて、ハウジング本体に設けられた係合部に対するフック部材の係脱を可能にしている。したがって、ハウジング本体に対する装着位置を変更可能なカバー体を、それぞれの変更位置でボルト連結のみによって固定する構造に比べて、少なくとも、フック部材と係合部との係合箇所での係脱を簡素化し得る。これにより、パッチン錠を用いることによる利点を活かすことができる。
そして、フック部材を操作するための操作部材が、その操作部材の揺動操作範囲のうちで、係合部に対するフック部材の係合位置と、揺動支点の位置と、を結ぶデッドポイント線よりも弛み側の領域に設けられたボルト連結部でハウジング本体にボルト連結される。これにより、ボルト連結による確実な連結固定を可能にすることができる。
また、例えば、操作部材に対する前記フック部材の連結箇所が、デッドポイント線よりも弛み側を越えた締め付け側に備えられた場合にもボルト連結を行えるようにすれば、ボルト連結による確実な連結固定を可能にすることはできる。しかしながらこの場合には、パッチン錠の連結機能のみによってカバー体をハウジング本体に固定し、ボルト連結を忘れたり省略してしまう虞がある。これに比べて本発明のものでは、上述したように、操作部材に対するフック部材の連結箇所がデッドポイント線よりも弛み側の領域を越えないように設けられていることにより、ボルト連結を行わなければ、パッチン錠の連結機能そのものを確保することができない。このため、必然的にボルト連結を行うことになり、ボルトの連結忘れを防ぎ易い。
【０００８】
上記構成において、前記カバー体の周方向での一端部に前記パッチン錠が設けられ、前記カバー体の他端部には、前記フック部材が係合する前記係合部とは別の位置で前記ハウジング本体の外周部に備えられた別の係合部に対して係合する係合片が設けられていると好適である。
【０００９】
本構成によれば、パッチン錠をカバー体の周方向での両端部に設ける場合に比べて、パッチン錠の使用個数を節減でき、パッチン錠を用いない箇所では単なる係合構造を採用して、カバー体の固定構造をより一層簡略化し、コスト低減を図り易い。
【００１０】
上記構成において、前記パッチン錠は、前記カバー体が前記排出位置に装着された状態において、前記カバー体の周方向で前記開口に近い側の端部に装着されていると好適である。
【００１１】
本構成によれば、カバー体が排出位置に装着された状態において、カバー体の周方向でのパッチン錠の存在位置は、ハウジング本体の開口から遠い側ではなく、ハウジング本体の開口に近い側の端部である。
ハウジング本体の開口は、刈草を横外方へ排出するためのものであるため、ハウジング本体の横外方に設けられている。したがって、ハウジング本体の開口に近い側のカバー体端部にパッチン錠が設けられていると、そのパッチン錠における係合やボルト連結の作業を、できるだけ横外方に近い位置で行うことができる。
これによって、モアー装置を取り付けた作業機の存在に邪魔される虞の少ない状態で、パッチン錠に対する作業を行い易い点で有利である。
【００１２】
上記構成において、前記ボルト連結部では、前記操作部材に連結ボルトが装着され、前記連結ボルトには、抜け止め座金が装着されていると好適である。
【００１３】
本構成によれば、連結ボルトによる操作部材の連結及び連結解除の際に、連結ボルトの脱落を抑制して便利な作業を行い易い。
【００１４】
上記構成において、前記ハウジング本体の天井部で前記開口の上方箇所に、前記ハウジング本体の天井部に沿う枢支軸周りで上下揺動可能に枢支された放出ガイドが備えられ、前記放出ガイドが、前記ハウジング本体の天井部に沿って横外方へ延出された刈草案内姿勢と、前記ハウジング本体の天井部に交差する上方側へ起立する非案内姿勢とに姿勢切換可能に構成され、前記カバー体の上部に、前記非案内姿勢の前記放出ガイドを下方側から支える支持ステーが装着されていると好適である。
【００１５】
本構成によれば、カバー体の上部に支持ステーを備えることにより、閉塞位置に装着されたカバー体によって、放出ガイドの非案内姿勢が維持されるように支持することが可能となる。
【図面の簡単な説明】
【００１６】
【図１】乗用型草刈機を示す左側面図である。
【図２】マルチング作業状態のモアー装置を示す平面図である。
【図３】サイドディスチャージ作業状態のモアー装置を示す平面図である。
【図４】カバー体の取付状態を示す説明図である。
【図５】パッチン錠の取付状態を示す平面図である。
【図６】パッチン錠を示す分解斜視図である。
【図７】放出ガイドの支持状態を示す斜視図である。
【発明を実施するための形態】
【００１７】
以下、本発明の実施の形態の一例を図面の記載に基づいて説明する。
尚、本実施形態での説明における前後方向及び左右方向は、特段の説明がない限り、次のように記載している。つまり、本発明を適用した乗用型草刈機において、走行機体の作業走行時における前進側の進行方向（図１，２における矢印Ｆ参照）が「前」、後進側への進行方向（図１，２における矢印Ｂ参照）が「後」、その前後方向での前向き姿勢を基準としての右側に相当する方向（図２，３における矢印Ｒ参照）が「右」、同様に左側に相当する方向（図２，３における矢印Ｌ参照）が「左」である。
【００１８】
〔全体構成〕
図１は、本発明に係るモアー装置１０が装着された乗用型草刈機の全体側面図である。この図に示すように、乗用型草刈機は、左右一対の操向操作自在な前車輪１，１と、左右一対の駆動自在な後車輪２，２と、を備えて自走するように構成されている。つまり、前車輪１，１及び後車輪２，２を備えた自走車体は、車体前部の原動部にエンジン７を備え、原動部よりも後方側にステアリングホィール３および運転座席４を有した運転部が備えられている。
自走車体の下方には、車体フレーム５にリンク機構６を介して連結されたモアー装置１０が備えられている。
モアー装置１０には、エンジン７の車体上下向きの出力軸７ａからの出力を伝動ベルト８により、モアー装置１０の刈刃駆動機構３０にエンジン７の動力が伝達される。
【００１９】
リンク機構６は、車体フレーム５の前端部とモアー装置１０の刈刃ハウジング１１の後端側とにわたって連結された昇降リンク６ａと、この昇降リンク６ａの中間部と車体フレーム５とにわたって連結された揺動リンク６ｂと、この揺動リンク６ｂの一端部と前記刈刃ハウジング１１の前端側とにわたって連結された連結リンク６ｃと、を備えている。
前記昇降リンク６ａは、この昇降リンク６ａの後端部に連動機構９ａを介して連動された昇降レバー９が上下揺動操作されることにより、車体フレーム５に対して上下に揺動操作され、モアー装置１０の後端側を車体フレーム５に対して昇降操作する。昇降リンク６ａは、上下に揺動操作されると、揺動リンク６ｂを車体フレーム５に対して上下に揺動操作し、モアー装置１０の前端側を車体フレーム５に対して昇降操作する。
【００２０】
乗用型草刈機は、草刈り作業を行うものである。つまり、昇降レバー９を上下揺動操作することにより、リンク機構６が車体フレーム５に対して上下に揺動操作され、モアー装置１０を、左右一対のゲージ輪１２，１２が地面に接地した下降作業状態と、前記各ゲージ輪１２が地面から高く上昇した上昇非作業状態と、に昇降操作する。
モアー装置１０を下降作業状態にして自走車体を走行させると、モアー装置１０は、前記刈刃ハウジング１１の内部に位置する二枚の回転刈刃１３Ｌ，１３Ｒを前記刈刃駆動機構３０によって回転駆動する。各回転刈刃１３Ｌ，１３Ｒによって芝や草（以下、単に草と称する。）の刈り処理を行い、各回転刈刃１３Ｌ，１３Ｒからの刈芝や刈草を刈刃ハウジング１１の横一端部からモアー装置１０の横外側に放出するサイドディスチャージ作業、あるいは各回転刈刃１３Ｌ，１３Ｒからの刈草を刈刃ハウジング１１の底からモアー装置１０の下方に放出するマルチング作業を行う。
【００２１】
図２は、モアー装置１０のマルチング作業状態での平面図である。図３は、モアー装置１０のサイドディスチャージ作業状態での平面図である。これらの図に示すように、モアー装置１０には、刈刃ハウジング１１と、刈刃駆動機構３０と、二枚の回転刈刃１３Ｌ，１３Ｒと、刈刃ハウジング１１の前部の両横外側に分散配置した左右一対のゲージ輪１２，１２と、が備えられている。また、刈刃ハウジング１１の後部の外側に刈刃ハウジング１１の左右方向での中央箇所に配置した障害物乗り越えローラ１５が備えられている。
【００２２】
刈刃駆動機構３０は、刈刃ハウジング１１の天板１６の上側に配設されている。
つまり、天板１６の後端部位置で刈刃ハウジング１１上に設けた入力軸３１と、この入力軸３１に一体回転自在に支持された伝動プーリ３２と、各回転刈刃１３Ｌ，１３Ｒの回転支軸２２に一体回転自在に支持された刈刃駆動プーリ３３と、伝動プーリ３２と各刈刃駆動プーリ３３とにわたって巻回された伝動ベルト３４と、を備えている。
入力軸３１は、伝動ベルト８が巻回された入力プーリ３５を伝動プーリ３２よりも入力軸上端側に位置させて一体回転自在に備えている。
伝動ベルト３４は、天板１６に回転自在に支持された案内プーリ３６、及び入力軸３１にテンションアーム３７を介して支持されたテンションプーリ３８にも巻回されている。
【００２３】
刈刃駆動機構３０は、エンジン７から伝動ベルト８を介して入力プーリ３５に伝動されて駆動される入力軸３１の駆動力を伝動ベルト３４によって各刈刃駆動プーリ３３に伝達して各回転支軸２２を回転駆動し、これによって各回転刈刃１３Ｌ，１３Ｒを回転駆動する。
その結果、一方の回転刈刃１３Ｌが、平面視において回転支軸２２の軸芯Ｐ１まわりで反時計回りに回転し、他方の回転刈刃１３Ｒが回転支軸２２の軸芯Ｐ１まわりで前記一方の回転刈刃１３Ｌの回転方向とは逆の時計回りに回転する（図２，３参照）。
【００２４】
〔刈刃ハウジング〕
図２，３に示すように、刈刃ハウジング１１は、各回転刈刃１３Ｌ，１３Ｒを支持するハウジング本体４０と、ハウジング本体４０の右横外側端部に備えた刈草排出口１４（刈草排出用の開口に相当する）を開閉可能なカバー体４１と、刈草排出口１４の近くの天板１６に支持された放出ガイド２７を備えている。
放出ガイド２７は、前後方向に沿う支軸２７ａ周りで上下揺動自在に支持されており、端部を下降させた刈草案内姿勢に切り換えることにより、刈草排出口１４から放出される刈草が横外向きに飛散するように案内する。放出ガイド２７は、端部を持ち上げた起立姿勢で非案内姿勢となる。
【００２５】
カバー体４１は、固定装置５０によって、ハウジング本体４０に対するカバー体４１の装着位置を、刈草排出口１４を開放して刈草の横外方への排出を許容する排出位置と、刈草排出口１４を閉塞して刈草の横外方への排出を抑制する閉塞位置と、に変更可能に構成されている。
つまり、図２に示すようにマルチング作業状態とするときには、カバー体４１の装着位置を、刈草排出口１４を閉塞して刈草の横外方への排出を抑制する閉塞位置とし、固定装置５０によって固定する。
図３に示すようにサイドディスチャージ作業状態とするときには、カバー体４１の装着位置を、刈草排出口１４を開放して刈草の横外方への排出を許容する排出位置とし、固定装置５０によって固定する。
【００２６】
〔固定装置〕
固定装置５０は、図４乃至図７に示すように、カバー体４１に備えられたパッチン錠５１、及び係合片５５と、ハウジング本体４０に設けられた係合部４２と、を備えている。
図４乃至図７に示すように、パッチン錠５１は、カバー体４１の周方向での一端部に取り付けられている。このパッチン錠５１は、上下方向に沿う一つの支軸５２の軸芯Ｐ２（揺動支点に相当する）周りで揺動可能に枢支された操作部材５３と、その操作部材５３に対して相対揺動可能に連結されたフック部材５４を備えている。
フック部材５４は、一端部に、ハウジング本体４０に設けられた係合部４２に対して係合するフック部５４ａを備えている。他端部には、支軸５２の軸芯Ｐ２から離れた位置で操作部材５３の長さ方向での中間位置に形成された係合孔部５３ａに対して係入可能な係止片部５４ｂが備えられ、その係止片部５４ｂを操作部材５３の係合孔部５３ａに係合させている。これにより、フック部材５４は、操作部材５３に対して、相対回動可能に連結された状態となる。
【００２７】
カバー体４１には、上記のパッチン錠５１とともに係合片５５が設けられている。この係合片５５は、閉塞姿勢位置にあるカバー体４１のパッチン錠５１が係合する係合部４２とは、別の位置でハウジング本体４０の外周部に備えられた別の係合部４２に対して係合可能に構成されている。具体的には、図４，図５に示すように、ハウジング本体４０の外周面に沿う方向に延出された平板状の板材からなる係合片５５を、パッチン錠５１が設けられた側とは反対側の端部でカバー体４１に溶接して固定してある。
係合片５５には、パッチン錠５１が係合する係合部４２とは、別の位置でハウジング本体４０の外周部に備えられた別の係合部４２に対して係合可能であるように矩形状の切り欠き孔５５ａが形成されている。この切り欠き孔５５ａを係合部４２に外嵌させて係合するように構成されたものである。
【００２８】
ハウジング本体４０に設けられた係合部４２は、次の第一係合部４３と、第二係合部４４と、第三係合部４５と、を備えている。
このうち第一係合部４３は、カバー体４１の周方向での一端部に取り付けられたパッチン錠５１のフック部材５４に対して、カバー体４１の閉塞姿勢で係合するように、前記刈草排出口１４よりも前側位置でハウジング本体４０の外周面に設けられている。
この第一係合部４３は、図４，図５に示すように、ハウジング本体４０の前部に取り付けられた左右一対のゲージ輪１２，１２のうち、右側のゲージ輪１２の取付ステー４６の一部に形成されている。つまり、取付ステー４６の一部を切り欠いて、刈草排出口１４から離れる方向であるところの、左方向に折り曲げ変形させることにより、フック部５４ａの係合が可能であるように構成されている。
【００２９】
第二係合部４４は、前記刈草排出口１４よりも後側位置でハウジング本体４０の外周面に設けられている（図４，図５参照）。つまり、閉塞姿勢におけるカバー体４１の、前記パッチン錠５１が設けられた側とは反対側の端部を固定しようとするものである。
この第二係合部４４は、ハウジング本体４０の外周面から横外方へ突出する板状の突片を備え、その突片の突出端側が刈草排出口１４から離れる側へ折り曲げ変形されている。このように構成された第二係合部４４に、係合片５５の切り欠き孔５５ａを外嵌させることにより、閉塞姿勢位置にあるカバー体４１を、パッチン錠５１が係合する第一係合部４３とは、反対側の端部で（別の位置で）、係合させて固定し得るものである。
【００３０】
第三係合部４５は、排出姿勢におけるカバー体４１の、前記パッチン錠５１が設けられた側とは反対側の端部を固定しようとするものである。
この第三係合部４５は、第二係合部４４と同様に、ハウジング本体４０の外周面から横外方へ突出する板状の突片を備え、その突片の突出端側が刈草排出口１４から離れる側へ折り曲げ変形されている。このように構成された第三係合部４５は、その配設位置が、第二係合部４４よりも、刈草排出口１４からの離間距離が大きいところの、ハウジング本体４０の左右方向での中央箇所寄りの位置に設けられている（図２，図３参照）。
この第三係合部４５も、係合片５５の切り欠き孔５５ａを外嵌させることにより、カバー体４１を、パッチン錠５１が係合する第一係合部４３とは、反対側の端部で（別の位置で）、係合させて固定し得るものであるが、排出姿勢位置にあるカバー体４１を固定対象とする点で、第二係合部４４とは相違する。
【００３１】
排出姿勢位置にあるカバー体４１の、パッチン錠５１を備えた側の端部では、パッチン錠５１のフック部５４ａが、第二係合部４４に備えた係合用凹部４４ａに係合する。
つまり、図４及び図７に示すように、第二係合部４４の板状の突片は、中央部が矩形状に切り欠かれていて、この切り欠かれた係合用凹部４４ａにパッチン錠５１のフック部５４ａが係合する。したがって、第二係合部４４は、閉塞姿勢におけるカバー体４１に対しては、係合片５５の切り欠き孔５５ａと係合する部材として機能し、排出姿勢におけるカバー体４１に対しては、パッチン錠５１のフック部５４ａと係合する部材を兼ねるものである。
【００３２】
〔ボルト連結部〕
パッチン錠５１には、操作部材５３の揺動部分をカバー体４１に固定するボルト連結部６０が備えられている。
図７に示すように、ボルト連結部６０は、カバー体４１に固定されたネジ止め部材６１と、操作部材５３を締め付け固定する連結ボルト６２を備えている。
操作部材５３のうち、フック部材５４を係合可能な係合孔部５３ａの存在箇所よりも、揺動支点となる軸芯Ｐ２から離れた位置に、軸芯Ｐ２に直交する方向が長径となる長孔状のボルト挿通孔５３ｂが形成されている。このボルト挿通孔５３ｂに連結ボルト６２を挿通し、ネジ止め部材６１の背面側に備えた止めナット６３に螺合させることにより、操作部材５３をカバー体４１に固定した状態とすることができる。
【００３３】
このボルト連結部６０において、操作部材５３が連結固定される位置は、次のように設定されている。
つまり、操作部材５３に対するフック部材５４の連結箇所ＣＰが、操作部材５３の揺動操作範囲のうちで、係合部４２に対するフック部材５４の係合位置と、揺動支点となる軸芯Ｐ２の位置と、を結ぶデッドポイント線ＤＰよりも弛み側の領域に位置するように、ボルト連結部６０が設けられている。
つまり、操作部材５３に対するフック部材５４の連結箇所ＣＰは、常にデッドポイント線ＤＰよりも弛み側の領域にある。このため、操作部材５３に対するフック部材５４の連結箇所ＣＰは、デッドポイント線ＤＰを越えて張り側へ移動することはない。したがって、バネ板材で構成されるフック部材５４の弾性復元力がデッドポイント線ＤＰの張り側で作用して、フック部材５４の連結状態で操作部材５３の位置が安定してしまうことは避けられる。
【００３４】
ネジ止め部材６１は、カバー体４１に備えた上部ブラケット４７に対して二本の固定ボルト４７ａ，４７ａで連結固定されている。上部ブラケット４７の上面部分には、カバー体４１の周方向に沿う方向が長径である長孔４７ｂ，４７ｂが形成されており、上部ブラケット４７に対するネジ止め部材６１の相対位置を、長孔４７ｂ，４７ｂに沿って微調整可能に構成されている。
ネジ止め部材６１を取り外しても、カバー体４１の外周面には、規制突起部４８が一体に設けられている。この規制突起部４８は、連結ボルト６２の装着位置の延長上にあり、ネジ止め部材６１が取り外された状態でも連結ボルト６２に当接する。
この規制突起部４８と連結ボルト６２との当接状態であっても、操作部材５３に対するフック部材５４の連結箇所ＣＰは、デッドポイント線ＤＰよりも弛み側の領域にあるように、規制突起部４８の突出量を設定してある。
【００３５】
連結ボルト６２には、脱落防止用の抜け止め座金６４が装着されている。
抜け止め座金６４は、操作部材５３のボルト挿通孔５３ｂを貫通した連結ボルト６２の貫通部分に装着されて、連結ボルト６２の頭部６２ａとの間に操作部材５３を挟み込む状態で装着される。この抜け止め座金６４が存在することにより、ネジ止め部材６１との螺合を解除した連結ボルト６２が脱落することを回避し易い。
【００３６】
〔その他〕
図８に示すように、カバー体４１の周方向での中間位置で、かつ上端部に、支持ステー４９が取り付けられている。
この支持ステー４９は、カバー体４１が閉塞位置に装着されたとき、放出ガイド２７の下部に当接するように設けられている。したがって、支持ステー４９を、放出ガイド２７の刈草案内姿勢側への倒れを抑制し、放出ガイド２７の非案内姿勢を維持するための部材として利用することができる。
【００３７】
〔別実施形態の１〕
上記の実施形態では、回転刈刃１３Ｌ，１３Ｒとして、左右一対の回転刈刃１３Ｌ，１３Ｒを備えた構造のものを例示したが、必ずしもこの構造に限定されるものではない。例えば、３個以上の回転刈刃を用いたものであっても差し支えない。
その他の構成は、前述した実施形態と同様の構成を採用すればよい。
【００３８】
〔別実施形態の２〕
上記の実施形態では、固定装置５０として、カバー体４１の周方向での一端部にのみパッチン錠５１を備えた構造のものを例示したが、必ずしもこの構造に限定されるものではない。例えば、カバー体４１の周方向での両端部にパッチン錠５１を備えた構造のものであっても差し支えない。
その他の構成は、前述した実施形態と同様の構成を採用すればよい。
【産業上の利用可能性】
【００３９】
本発明のモアー装置は、ミッドマウントタイプの乗用草刈機に限らず、フロントマウントタイプや、リヤマウントタイプの乗用草刈機にも適用可能である。
【符号の説明】
【００４０】
１０            モアー装置
１１            刈刃ハウジング
１３Ｌ，１３Ｒ  回転刈刃
１４            開口
２７            放出ガイド
４０            ハウジング本体
４１            カバー体
４２            係合部
４９            支持ステー
５０            固定装置
５１            パッチン錠
５３            操作部材
５４            フック部材
５５            係合片
６０            ボルト連結部
６２            連結ボルト
６４            抜け止め座金
Ｐ２            揺動支点
ＤＰ            デッドポイント線
【図１】
2020150916.tif 000003
【図２】
2020150916.tif 000004
【図３】
2020150916.tif 000005
【図４】
2020150916.tif 000006
【図５】
2020150916.tif 000007
【図６】
2020150916.tif 000008
【図７】
2020150916.tif 000009